(57)【要約】【課題】  遊技台間に遊技玉が落ちていたとしても、その遊技玉を作業者が手で取り除くことなく、台間玉貸機を遊技台間に挿入して取り付けることができるようにする。【解決手段】  台間玉貸機１の固定フレーム１０は隣り合った遊技台間の奥部に固定されるもので、フレーム本体１１の後部の下部に玉排出孔２０を設ける。玉貸機本体１を固定フレーム１０に対して取り付けるべく挿入する際に、フレーム本体１１の底片部１３上に遊技玉２１が落ちていたとしても、台間玉貸機１を挿入することに伴い、遊技玉２１は台間玉貸機１のケース２により押されて玉排出孔２０から排出される。【選択図】  図１
2006042988.tif 000002
【特許請求の範囲】
【請求項１】
隣り合った遊技台間に固定されるフレーム本体を備え、このフレーム本体に対して、台間玉貸機が前方から挿入されて取り付けられる構成とされた台間玉貸機の固定フレームにおいて、前記フレーム本体の後部の下部に、玉排出孔を設けたことを特徴とする台間玉貸機の固定フレーム。
【請求項２】
前記フレーム本体の底部の上面が、前記玉排出孔に向かって下降傾斜していることを特徴とする請求項１記載の台間玉貸機の固定フレーム。
【発明の詳細な説明】
【技術分野】
【０００１】
本発明は、隣り合った遊技台間の奥部に固定されるフレーム本体を備え、このフレーム本体に対して、台間玉貸機が前方から挿入されて取り付けられる構成とされた台間玉貸機の固定フレームに関する。
【背景技術】
【０００２】
従来より、パチンコホールにおいては、隣り合った遊技台間に位置させて台間玉貸機が設けられている。この台間玉貸機の取付構造としては、次のような構造となっている。すなわち、台間玉貸機の固定フレームは、フレーム本体が、前部が開口したほぼコ字形をなしていて、隣り合った遊技台間の奥部に固定される。そして、台間玉貸機は、固定フレームのフレーム本体に対して前方から挿入されて取り付けられる。フレーム本体の上部には、玉供給用の玉供給ホースが接続されるようになっていて、遊技玉（パチンコ玉）が玉供給ホースから台間玉貸機に供給されるようになっている（例えば、特許文献１参照）。
【特許文献１】実用新案登録第２５２１１９２号公報
【発明の開示】
【発明が解決しようとする課題】
【０００３】
ところで、台間玉貸機を点検・修理したり、交換したりするために前方へ引き出した際に、玉供給ホースから遊技玉が遊技台間にこぼれ落ちることがある。遊技玉がこぼれ落ちたままの状態で、台間玉貸機を遊技台間の固定フレームに挿入しようとすると、こぼれ落ちた遊技玉が邪魔になり、固定フレームに取り付けることができない。このとき、遊技台間に落ちた遊技玉は作業者が手を挿入して取り除くことになるが、遊技台間の隙間は狭く、取り除き難いものであった。
【０００４】
本発明は、上記した問題点を解決するためになされたもので、遊技台間に遊技玉が落ちていたとしても、その遊技玉を作業者が手で取り除くことなく、台間玉貸機を遊技台間に挿入して取り付けることができる台間玉貸機の固定フレームを提供することを目的とする。
【課題を解決するための手段】
【０００５】
上記した目的を達成するために、本発明は、隣り合った遊技台間に固定されるフレーム本体を備え、このフレーム本体に対して、台間玉貸機が前方から挿入されて取り付けられる構成とされた台間玉貸機の固定フレームにおいて、前記フレーム本体の後部の下部に、玉排出孔を設けたことを特徴とする。
【発明の効果】
【０００６】
上記した手段によれば、台間玉貸機を固定フレームのフレーム本体に対して引き出した際に遊技台間に遊技玉が落ち、それがそこに残っていたとしても、台間玉貸機をフレーム本体に対して挿入すると、落ちていた遊技玉は台間玉貸機に押されて、フレーム本体の玉排出孔から排出されるようになる。したがって、遊技台間に遊技玉が落ちていたとしても、遊技玉を作業者が手で取り除くことなく、台間玉貸機を遊技台間に挿入して取り付けることができる。
【発明を実施するための最良の形態】
【０００７】
以下、本発明の一実施形態について図面を参照して説明する。
図１において、台間玉貸機１は、隣り合った図示しない遊技台（パチンコ台）間に設置されるもので、薄型の矩形状のケース２を備えている。このケース２の前面部には、硬貨投入口３、液晶表示器４、玉案内用ノズル５、カード挿入口６等が設けられている。また、ケース２の上面部の後部には、玉受入れ口７が設けられている。なお、ケース２の後面部には、図示はしないが、後述する係合部１６が係合する被係合部が設けられている。
【０００８】
この台間玉貸機１を取り付けるための固定フレーム１０のフレーム本体１１は、上下方向に延びる縦片部１２と、この縦片部１２の下端部に前方へ向けて突設された底片部１３（フレーム本体１１の底部に相当）と、縦片部１２の上端部に前方へ向けて突設された天井片部１４とを有し、全体として前部が開口したコ字形をなしている。このフレーム本体１０は、隣り合った遊技台（図示せず）間に位置させて、図３に示すように、縦片部１２を奥側（図３の右側）にした状態でパチンコホールの島の基台１５に固定状態に設けられる。このフレーム本体１０における縦片部１２の左右両側部には前方へ向けて突出する突片１２ａが設けられ、底片部１３の左右両側部にも上方へ向けて突出する突片１３ａが設けられ、また、天井片部１４の左右両側部にも下方へ向けて突出する突片１４ａが設けられている。
【０００９】
縦片部１２の上下方向の中間部には、前方に向けて突出する係合部１６が設けられている。天井片部１４の後部には、玉供給ホース１７と接続可能なホース接続部１８が設けられている。そして、本体ケース１１の後部である縦片部１２の下部には、矩形状をなす玉排出孔２０が設けられている。この玉排出孔２０は、遊技玉（パチンコ玉）２１が通過可能な大きさに形成されている。底片部１３の上面１３ｂは、図２に示すように前部から後部の玉排出孔２０に向かって下降傾斜するゆるやかな斜面として形成されている。
【００１０】
上記構成において、台間玉貸機１を、遊技台間に設けられた固定フレーム１０に取り付ける場合には、台間玉貸機１のケース２を、固定フレーム１０における底片部１３と天井片部１４との間に前方から挿入する。このとき、底片部１３および天井部１４の前後方向に延びる左右の各突片１３ａ，１４ａにより、そのケース２の挿入がガイドされる。そして、台間玉貸機１のケース２をフレーム本体１１の奥まで挿入することに伴い、固定フレーム１０の係合部１６がケース２の被係合部に係合する。これにより、台間玉貸機１が固定フレーム１０に取り付けられた状態となる。この状態で、ケース２の上面部の玉受入れ口７が玉供給ホース１７と連通する状態となり、遊技玉が玉供給ホース１７から台間玉貸機１へ供給可能な状態となる。
【００１１】
一方、台間玉貸機１を点検或いは修理するために取り外す場合には、上記係合部１６による係合を解除した状態で、台間玉貸機１を前方へ引き出す。このとき、台間玉貸機１の玉受入れ口７が、玉供給ホース１７の下端部からずれることに伴い、玉供給ホース１７の下端部から遊技玉２１がこぼれて、遊技台間のケース本体１１内に落ちることがある。このとき、底片部１３の上面１３ｂは玉排出孔２０に向かって下降傾斜するゆるやかな斜面となっているので、上面１３ｂ上の遊技玉２１は玉排出孔２０から排出され易くなる。
【００１２】
また、上面１３ｂ上に遊技玉２１がある状態であっても、台間玉貸機１を取り付けるべく、固定フレーム１０の底片部１３と天井片部１４との間に前方から挿入すると、遊技玉２１は台間玉貸機１のケース２に押されて玉排出孔２０から排出されるようになる。したがって、遊技台間に遊技玉２１が落ちていたとしても、遊技玉２１を作業者が手で取り除くことなく、台間玉貸機１を遊技台間に挿入して取り付けることができる。
【００１３】
本発明は、上記した実施形態にのみ限定されるものではなく、次のように変形または拡張できる。
玉排出孔２０は、フレーム本体１１の縦片部１２と底片部１３の両方に跨るように設けても良く、また、底片部１３の後部のみに設けることもできる。
【図面の簡単な説明】
【００１４】
【図１】本発明の一実施形態を示す台間玉貸機と固定フレームの斜視図
【図２】要部の拡大縦断側面図
【図３】固定フレームおよび台間玉貸機の設置状態を示す縦断側面図
【符号の説明】
【００１５】
図面中、１は台間玉貸機、１０は固定フレーム、１１はフレーム本体、１３は底片部（底部）、１３ｂは上面、１６は係合部、１７は玉供給ホース、２０は玉排出孔、２１は遊技玉を示す。
【図１】
2006042988.tif 000003
【図２】
2006042988.tif 000004
【図３】
2006042988.tif 000005